(57)【要約】【課題】インターフォン装置、及びこのインターフォン装置を利用した集合住宅インターフォンシステムにおいて、親機の大型モニターＴＶを有効に利用できるようにすること。【解決手段】室内に設置された親機に子機からの呼出信号及び来訪者映像信号が入力されると、親機の大型の液晶メインモニターＴＶに来訪者の映像が表示される（Ｓ１〜Ｓ３）。来訪者との対話が終了してから一定時間が経過すると、親機の大型液晶メインモニターＴＶに予め記憶しておいた画像情報が表示される（Ｓ４〜Ｓ６）。【選択図】  図８
2006060714.tif 000002
【特許請求の範囲】
【請求項１】
室外に設置された子機と、室内の複数の部屋に設置された親機とを備えており、子機のカメラで撮影された来訪者の映像を各親機の大型モニターＴＶに映し出すインターフォン装置であって、
上記各親機は、
上記子機からの来訪者の映像信号が入力されてから一定時間が経過することを条件として、予め記憶しておいた画像情報を上記モニターＴＶに表示させるための画像情報表示制御手段を含むことを特徴とするインターフォン装置。
【請求項２】
上記画像情報表示制御手段は、
上記子機から来訪者の映像信号が入力されることを契機として、その後の経過時間を計時するための計時手段と、
外部から所望の画像情報を入力するための画像情報入力手段と、
この画像情報入力手段により入力された画像情報を記憶するための画像情報記憶手段と、を含み、
上記計時手段により上記子機からの来訪者の映像信号が入力されてから一定時間経過したことが計時された場合には、上記画像情報記憶手段に記憶された画像情報を上記モニターＴＶに表示することを特徴とする請求項１に記載のインターフォン装置。
【請求項３】
上記画像表示制御手段は、
上記子機から来訪者の映像信号が入力されることを契機として、その後の経過時間を計時するための計時手段と、
内部的に複数の画像情報を予め記憶しておくための第１の画像情報記憶手段と、
この第１の画像情報記憶手段に記憶されている複数の画像情報のうちから所望の画像情報を入力操作により選択するための選択手段と、
この選択手段により選択された画像情報を記憶するための第２の画像情報記憶手段と、を含み、
上記計時手段により上記子機からの映像信号が入力されてから一定時間経過したことが計時された場合には、上記第２の画像情報記憶手段に記憶された選択画像情報を上記モニターＴＶに表示することを特徴とする請求項１に記載のインターフォン装置。
【請求項４】
上記各親機は、
当該各親機が設置されている部屋に人が存在しているか否かを検知するための人検知手段と、
この人検知手段によりその部屋に人が存在することが検知された場合にのみ、当該部屋に設置された親機のモニターＴＶに上記子機のカメラで撮影された来訪者の映像を映し出すための来訪者映像表示制御手段と、をさらに含むことを特徴とする請求項１から３のいずれかに記載のインターフォン装置。
【請求項５】
上記全ての部屋の親機の人検知手段により当該全ての部屋に人が存在しないことが検知された場合には、留守モードで上記子機に面している来訪者に対応するように制御を切り替えるための手段をさらに含むことを特徴とする請求項４に記載のインターフォン装置。
【請求項６】
上記モニターＴＶ及びこのモニターＴＶにＴＶ放送を映し出すための手段から成るモニターＴＶ部と、このモニターＴＶ部に電源を供給するための手段とを１ユニットとし、このユニットを壁掛け型又は卓上型の親機本体に対して着脱自在に装着可能とし、それによって当該ユニットが持ち運び可能とされていることを特徴とする請求項１から５のいずれかに記載のインターフォン装置。
【請求項７】
上記モニターＴＶのモニターは、壁掛け又は卓上型の親機本体に対して着脱可能に装着され、それによって当該モニターが持ち運び可能とされており、
上記モニターを上記親機本体から取り外した場合には、当該親機本体側をステーションとして、ＴＶ放送を受信し、この受信したＴＶ放送を無線により当該モニターに送信することを特徴とする請求項１から５のいずれかに記載のインターフォン装置。
【請求項８】
請求項１から７のいずかに記載のインターフォン装置を利用した集合住宅インターフォンシステムであって、
集合住宅のエントランスに上記子機が設置されており、集合住宅の各戸に上記親機が設置されており、集合住宅の管理人室にエントランスの子機及び各戸の親機を管理するためのサーバーが設置されており、このサーバーと上記各戸の親機との間でネットワークが構築されており、それによって当該サーバー側から当該各戸の親機に種々の情報が提供されることを特徴とする集合住宅インターフォンシステム。
【発明の詳細な説明】
【技術分野】
【０００１】
本発明は、親機側に大型モニターＴＶを有するインターフォン装置、及びこのインターフォン装置を利用した集合住宅インターフォンシステムに関する。
【背景技術】
【０００２】
近時、インターフォン装置は、室外にカメラを有する子機を設置し、他方室内にモニターを有する親機を設置し、室内から来訪者の容姿を確認できるようにしたものが一般的になりつつある。これは、防犯意識の向上などが要因とされている。
【０００３】
かかるインターフォン装置では、例えば、特許文献１のように、外出先から来訪者の有無やメッセージ受け取れるといった高付加価値化が進んでいるが、これは、あくまでも実用的なインターフォン機能を充実させるものに過ぎないもので、その機能を使用していない場合は、省電力モードに移行して親機のモニターの電源をＯＦＦにして何も表示させないのが一般的である。
【０００４】
また、室内の親機に関しては、従来はリビングルームや台所に１つの親機を設置するのが一般的であったものの、防音技術の進歩によって部屋毎の防音効果が向上し、これに伴って、特許文献２及び特許文献３のように、マンション等の集合住宅や、一戸建てなどの広い家に設置する場合には、複数の親機を設置することも珍しくなくなってきている。
【０００５】
さらに、液晶製造技術の進歩の進歩によって液晶の低価格化が促進されたこともあって、インターフォン装置の親機にもカラー液晶モニターが採用されるようになってきているが、そのモニターであるカラー液晶は、来訪者の容姿を確認する目的でしか利用されていない。そのため、その大きさも小型のものしか使用されていないのが実情である。
【０００６】
他方、親機のモニターの有効活用に着眼したものとして、特許文献４にて提案されているものが知られている。この特許文献４にて提案されているインターフォン装置では、親機からバッテリー付きモニターＴＶを着脱自在とし、停電時にＴＶ局からの地上波を受信し、災害情報などをモニターすることができる機能が付加されている。
【０００７】
その他のインターフォン装置としては、特許文献５及び特許文献６のように、ＴＶ局のＴＶ映像をモニターに表示することを可能としたものが周知である。
【特許文献１】特開２００１−２８５８５４号公報
【特許文献２】特開平５−６８１０８号公報
【特許文献３】特開２００１−２８５５５０２号公報
【特許文献４】特開１１−２２０７２４号公報
【特許文献５】特許第３２５４７７６号公報
【特許文献６】特許第３４０８９５０号公報
【発明の開示】
【発明が解決しようとする課題】
【０００８】
上記のような従来のインターフォン装置では、親機のモニター表示が同装置のインターフォン機能を利用していない状態で何ら表示されなかったり、あるいは、その表示をユーザーサイドで選択できない問題が指摘されている。この問題は、複数の部屋に親機を設置する場合に顕著となる。
【０００９】
しかも、親機のモニターとして、液晶などの大型モニターＴＶを利用した場合には、インテリア的に室内の美観を損ねてしまうといった新たな問題も発生する。
【００１０】
本発明は、上記技術的課題に鑑みなされたもので、親機の大型モニターＴＶを有効利用できるインターフォン装置、及びこのインターフォン装置を利用した集合住宅インターフォンシステムを提供することを目的とする。
【００１１】
特に、本発明では、複数の部屋に大型モニターＴＶを有する親機を設置しても、インテリアとして装飾性を阻害しないように、そのモニターＴＶに表示する画像をユーザーが自由に入れ替えることができるインターフォン装置、及びこのインターフォン装置を利用した集合住宅インターフォンシステムの提供を目的とする。
【課題を解決するための手段】
【００１２】
上記目的を達成するため、本発明者は、親機のモニターとして大型モニターＴＶを利用することを前提として、インターフォン装置に当該モニターＴＶのスクリーンセーバー機能を付加すればよいのではないかと着想した。
【００１３】
上記着想に基づく具体的な発明は、以下の通りである。
【００１４】
第１の観点に係る発明は、室外に設置された子機と、室内の複数の部屋に設置された親機とを備えており、子機のカメラで撮影された来訪者の映像を各親機の大型モニターＴＶに映し出すインターフォン装置であって、上記各親機は、上記子機からの来訪者の映像信号が入力されてから一定時間が経過することを条件として、予め記憶しておいた画像情報を上記モニターＴＶに表示させるための画像情報表示制御手段を含む。
【００１５】
上記モニターＴＶを単に大型化した場合には、インターフォン機能を使用していないときには、いわゆるノーマリホワイト状態あるいはノーマリーブラック状態となり、壁や室内家具等とインテリア的に調和がとれなくなる虞が生じ、ユーザーが大型モニターＴＶを使用したインターフォン装置を積極的に設置しようとしないものと予想される。これに対し、上記構成では、子機からの来訪者の映像信号が入力されてから一定時間が経過すると、親機の大型モニターＴＶに予め記憶しておいた画像情報が表示される。このとき、上記画像情報を、例えば、フォトスタンドに入れられる写真に相当する画像や、壁に掛けられる絵画に相当する画像とすれば、インターフォン機能を使用していないときには、上記親機のモニターＴＶにフォトスタンドや絵画としての役割を担わせることができる。このように、インターフォン機能を使用してないときには、上記モニターＴＶをＯＦＦ状態にするのではなく、写真や絵画等の画像を表示させるようにすることによって、モニターＴＶ自体を大きくしても他のインテリアとの調和を阻害するなどの虞を軽減できるのみならず、むしろ、他のインテリアと調和させて美観を向上させることができるといった相乗効果が期待できる。
【００１６】
上記のように、モニターＴＶ自体を大きくした場合の弊害を回避できるゆえ、上記大型モニターＴＶのサイズは、１４インチ以上であることが好ましい。
【００１７】
なお、ネットワークを経由して画像情報をダウンロードし、このダウンロードした画像情報を大型モニターＴＶに表示する場合や、デジタルカメラ又はデジタルビデオカメラで撮影した画像情報を取り込み、この取り込んだ画像情報を大型モニターＴＶに表示することを想定した場合には、上記画像情報表示制御手段は、上記子機から来訪者の映像信号が入力されることを契機として、その後の経過時間を計時するための計時手段と、外部から所望の画像情報を入力するための画像情報入力手段と、この画像情報入力手段により入力された画像情報を記憶するための画像情報記憶手段と、を含み、上記計時手段により上記子機からの来訪者の映像信号が入力されてから一定時間経過したことが計時された場合には、上記画像情報記憶手段に記憶された画像情報を上記モニターＴＶに表示することが好ましい。この場合、大型モニターＴＶに表示させるべき画像情報を随時書き換えることができので、当該モニターＴＶに表示される画像情報の選択肢の幅が拡がる。
【００１８】
他方、上記画像情報を予め複数用意しておき、これら複数の画像情報のうちから１つの画像増俸を任意に選択して大型モニターＴＶに表示することを想定した場合には、上記画像表示制御手段は、上記子機から来訪者の映像信号が入力されることを契機として、その後の経過時間を計時するための計時手段と、内部的に複数の画像情報を予め記憶しておくための第１の画像情報記憶手段と、この第１の画像情報記憶手段に記憶されている複数の画像情報のうちから所望の画像情報を入力操作により選択するための選択手段と、この選択手段により選択された画像情報を記憶するための第２の画像情報記憶手段と、を含み、上記計時手段により上記子機からの映像信号が入力されてから一定時間経過したことが計時された場合には、上記第２の画像情報記憶手段に記憶された選択画像情報を上記モニターＴＶに表示することが好ましい。この場合、入力操作により内部的に予め記憶されている複数の画像情報のうちから大型モニターＴＶに表示させたい画像情報を選択し、この選択された画像情報がインターフォン機能を使用していないときに上記モニターＴＶに表示されるので、画像情報をネットワーク上からダウンロードするためのインターネット接続のセットアップ作業や、デジタルカメラ又はデジタルビデオカメラで撮影した画像情報を取り込むためのインストール作業等は必要としない。
【００１９】
また、上記各親機は、当該各親機が設置されている部屋に人が存在しているか否かを検知するための人検知手段と、この人検知手段によりその部屋に人が存在することが検知された場合にのみ、当該部屋に設置された親機のモニターＴＶに上記子機のカメラで撮影された来訪者の映像を映し出すための来訪者映像表示制御手段と、をさらに含む。
【００２０】
上記構成では、親機が設置された部屋に人が存在することが検知された場合にのみ、当該部屋に設置された親機のモニターＴＶに子機のカメラで撮影された来訪者の映像が映し出される。そのため、確実に人が存在する親機で来訪者に対応することが可能となる。その結果、消費電力の低減に貢献する。
【００２１】
さらに、上記インターフォン装置は、上記全ての部屋の親機の人検知手段により当該全ての部屋に人が存在しないことが検知された場合には、留守モードで上記子機に面している来訪者に対応するように制御を切り替えるための手段をさらに含む。
【００２２】
上記構成では、親機が設置されている全ての部屋に人が存在しないことが検知された場合には、留守モードで子機に面している来訪者に対応できるので、留守時に自動音声で来訪者との対話を行うことができる。なお、自動音声による来訪者との対話を行っている間、音声と共に当該来訪者の容姿を録画するようにするのが好ましい。そうすると、この録音を再生することにより、来訪者が泥棒等の不審者であった場合の手掛かりとなり、究極的には留守時のセキュリティー効果が増すことになる。
【００２３】
ある態様では、上記モニターＴＶ及びこのモニターＴＶにＴＶ放送を映し出すための手段から成るモニターＴＶ部と、このモニターＴＶ部に電源を供給するための手段とを１ユニットとし、このユニットを壁掛け型又は卓上型の親機本体に対して着脱自在に装着可能とし、それによって当該ユニットが持ち運び可能とされている。
【００２４】
上記構成では、モニターＴＶ、及びこのモニターＴＶに関連する手段を１ユニットとして持ち運び可能としているので、災害時等の非常時はもとより、当該ユニットをキッチン、お風呂、ベランダ及びトイレ等に持ち込んでいわゆるモバイルＴＶとして利用することにより、住戸内の好みの場所で上記モニターＴＶから種々の情報を自由に取得することができる。
【００２５】
他の態様では、上記モニターＴＶのモニターは、壁掛け又は卓上型の親機本体に対して着脱可能に装着され、それによって当該モニターが持ち運び可能とされており、上記モニターを上記親機本体から取り外した場合には、当該親機本体側をステーションとして、ＴＶ放送を受信し、この受信したＴＶ放送を無線により当該モニターに送信する。
【００２６】
上記構成では、モニターを親機本体から取り外して持ち運びできるので、住戸内の好みの場所でモニターから種々の情報を自由に取得することができる。特に、モニターを親機本体から取り外した場合には、親機本体側がステーションとなってＴＶ放送が受信され、この受信されたＴＶ放送が無線によりモニターに送信されることによって、モニターにＴＶ放送が再現されるので、モニターの薄型化及び消費電力の低減に貢献する。
【００２７】
第２の観点に係る発明は、上記インターフォン装置を利用した集合住宅インターフォンシステムであって、集合住宅のエントランスに上記子機が設置されており、集合住宅の各戸に上記親機が設置されており、集合住宅の管理人室エントランスの子機及び各戸の親機を管理するためのサーバーが設置されており、このサーバーと上記各戸の親機との間で通信ネットワークが構築されており、それによって当該サーバー側から当該各戸の親機に種々の情報が提供される。
【００２８】
上記の親機のモニターＴＶの使用形態によると、当該モニターＴＶは、インターフォン機能が使用されていないときでもその電源がＯＮとされることを利用して、上記モニターＴＶの利便性を追求すれば、インターネットプロトコルを利用したＴＶ電話との融合や、集合住宅における回覧板の配布など、様々な態様でその利用範囲を拡大できるようになる。
【発明の効果】
【００２９】
本発明では、親機の大型モニターＴＶを有効利用できる。特に、複数の部屋に大型モニターＴＶを有する親機を設置しても、当該モニターＴＶがインテリアとして装飾性を阻害するのではなく、むしろ、上記モニターＴＶに表示すべき画像をユーザーが自由に入れ替えることができるので、ユーザーの設置意欲が増す。
【発明を実施するための最良の形態】
【００３０】
以下、本発明の実施の形態について、添付図面に基づき詳細に説明する。
＜実施の形態１＞
【００３１】
図１を参照して、本実施の形態１に係るインターフォン装置を利用した集合住宅インターフォンシステム１は、集合住宅のエントランスに設置された子機２と、集合住宅の各戸毎に複数設置された親機３１，３２１，３２２，３２３と、集合住宅の管理人室に設置されており、エントランスの子機２及び各戸の親機３１，３２１，３２２，３２３を管理するためのサーバー４とを備えており、このサーバー４と各戸の親機３１，３２１，３２２，３２３との間でネットワークが構築されている。それゆえ、サーバー４からは、上記各戸の親機３１，３２１，３２２，３２３に種々の情報が提供される。
【００３２】
親機３１，３２１，３２２，３２３のうち、親機３１は、コアとなる親機であって、このコア親機３１は、例えば、リビングルームに配置される。他方、親機３２１，３２２，３２３は、サテライト的な親機であって、サテライト親機３２１は、例えば、寝室に配置され、サテライト親機３２２は、例えば、子供部屋に配置され、サテライト親機３２３は、例えば、書斎に配置される。なお、以下の説明において、親機３１，３２１，３２２，３２３を総称するときは「親機３」と称し、サテライト親機３２１，３２２，３２３を総称するときは「サテライト親機３２」と称する。
【００３３】
子機２及びサーバー４同士、サーバー４及びコア親機３１同士、並びにコア親機３１及びサテライト親機３２同士は、伝送ラインを介して接続されている。
【００３４】
サーバー４は、管理室内に設置されたＰＣ５及びインターネット６に接続されている。
【００３５】
図２を参照して、子機２は、ＣＰＵ２１、ＲＯＭ２２、ＲＡＭ２３、テンキー２４、呼出ボタン２５、カメラ２６、映像信号処理回路２７、周波数変調回路２８、マイク２９、スピーカー２１０、増幅回路２１１、電源回路２１２、及び通信Ｉ／Ｆ２１３を備えている。
【００３６】
ＣＰＵ２１は、子機２の制御中枢を司るものであって、ＲＯＭ２２に記憶されているプログラムに従って種々の処理を行う。このエントランスドアＤを駆動させるための回路１２が接続されている。
【００３７】
ＲＯＭ２２には、子機２の動作を制御するためのプログラムが格納されている。他方、ＲＡＭ２３は、ＣＰＵ２１のワーキングエリアとして機能し、データ等の書き込み及び読み出しが随時行われる。
【００３８】
テンキー２４は、訪問先の住戸番号を指定するためのキーであり、他方呼出ボタン２５は、テンキー２４により指定された住戸を呼び出すためのボタンである。これらテンキー２４及び呼出ボタン２５が押されると、ＣＰＵ２１は、通信Ｉ／Ｆ２１３を介して来訪者が訪問先として指定した住戸番号に相当するアドレス信号と共に呼出信号をサーバー４側に送信する。
【００３９】
カメラ２６は、来訪者の容姿を含む、子機２が設置されている周辺を撮像するために用意されており、このカメラ２６として、ＣＣＤカメラ等が採用されている。カメラ２６には、映像信号処理回路２７及び周波数変調回路２８がこの順で接続されている。カメラ２６から映像信号が映像信号処理回路２７に送信されると、この映像処理回路２７は、当該映像信号に所定の処理を施して周波数変調回路２８に出力する。映像信号処理回路２７から映像信号が入力されると、周波数変調回路２８は、当該映像信号を周波数変調してＣＰＵ２１に出力する。
【００４０】
マイク２９及びスピーカー２１０は、来訪者と住戸の住人との間での対話を成立させるために用意されており、これらマイク２９の出力側及びスピーカー２１０の入力側には、増幅回路２１１が接続されている。この増幅回路２１１は、上記周波数変調回路２８と共にＣＰＵ２１に接続されている。それゆえ、ＣＰＵ２１は、周波数変調回路２８から出力された来訪者の映像変調信号と、マイク２９に入力され且つ増幅回路２１１で増幅された来訪者の音声信号とを多重化して映像音声多重信号を生成し、通信Ｉ／Ｆ２１３を介してこの生成した映像音声信号をサーバー４側に送信する。
【００４１】
また、ＣＰＵ２１には、電源回路２１２が接続されており、それによって当該ＣＰＵ２１では、電源／音声分離処理が行われる。具体的には、ＣＰＵ２１は、サーバー４及び通信Ｉ／Ｆ２１３を介して、親機３からの住人の音声信号と電源とが多重化されることによって生成された音声電源多重信号が入力されると、当該多重信号から電源を分離し、この分離した電源を子機２の各回路に供給する。他方、ＣＰＵ２１によって上記音声電源多重信号から分離された住人の音声信号は、増幅回路２１１で増幅された後に、スピーカー２１０により再生されて放音される。
【００４２】
図３（Ａ）及び（Ｂ）、並びに図４（Ａ）及び（Ｂ）を参照して、親機３は、当該親機３が設置された部屋の壁面に掛けられる親機本体７と、例えば、１４インチ又は１７インチの大型のフルカラー液晶メインモニターＴＶ８を含み、親機本体７に対して着脱自在に装着されるユニット９とを備えており、このユニット８が持ち運び可能とされている。
【００４３】
親機本体７の表面の主要部には、上記モバイルユニット９を収容するための凹部７１が形成されている。この収容凹部７１の平面形状は、親機本体７の上側及び正面側の２方向に向って開放したコ字形をなしており、その底面の略中央部には、例えば、７インチ又は９インチの小型の液晶サブモニター１０が埋め込まれている。この液晶サブモニター１０の上方であって、上記凹部７１の底面には、円孔７２が形成されている。この円孔７２には、当該円孔７２と略同心の丸棒状の係合子７３が上下方向に移動可能に嵌め込まれている。これら係合子７３の後端面と円孔７２の底面との間には、当該係合子７３の先端部を上記モバイルユニット収容凹部７１の底面からさらに突出させる方向（図４（Ｂ）に示すＣ方向）に弾発的に付勢するためのばね７４が介装されている。すなわち、このばね７４の一端が、上記係合子７３の後端面に取り付けられており、他端が、上記円孔７２の底面に取り付けられている。また、上記係合子７３の先端面には、モバイルユニット９が親機本体７から取り外されたか否かを検知するための円盤状のセンサー１１が取り付けられている。
【００４４】
モバイルユニット９は、上記大型液晶メインモニターＴＶ８及びこのメインモニターＴＶ８にＴＶ放送を映し出すための手段（コア親機３１の場合は、図５に示すアンテナ３１１、選局回路３１１Ａ、ＴＶチューナー３１２、映像切替スイッチ３１３、増幅回路３１４及び音声切替スイッチ３１５であり、他方サテライト親機３２の場合は、図６に示すアンテナ３２１、選局回路３１２Ａ、ＴＶチューナー３２２、映像切替スイッチ３２３、増幅回路３２４及び音声切替スイッチ３１５である）から成るモニターＴＶ部９１、並びに上記メインモニターＴＶ８に電源を供給するための手段（コア親機３１の場合は、図５に示すバッテリー３１６、電源監視回路３１７及びバッテリー切替スイッチ３１８であり、他方サテライト親機である場合には、バッテリー３２６、電源監視回路３２７及びバッテリー切替スイッチ３２８である）等を１ユニット化して成る。このモバイルユニット９の底面において、上記係合子７３と対応する位置には、当該係合子７３と略同心であって且つ当該ユニット９を親機本体７の収容凹部７１に装着した際に上記係合子７３の先端部と係合するための円形の係合孔９２が形成されている。それゆえ、上記モバイルユニット９は、親機本体７においては上記凹部７１の壁面、並びに上記係合子７３及び係合孔９２同士の係合により上下左右方向への移動が規制される。
【００４５】
上記構成において、親機本体７にモバイルユニット９が装着されている場合には、図３（Ｂ）に示すように、親機本体７側の係合子７３の先端部にモバイルユニット９側の係合孔９２が係合する。そのため、上記係合子７３の先端面に固定されたモバイルユニット着脱検知センサー１１は、上記係合孔９２の底面に密着する。これにより、センサー１１は、大型液晶メインモニターＴＶ８を含むモバイルユニット９が親機本体７に装着されていることを検知する。
【００４６】
他方、上記係合子７３及び係合孔９２同士の係合を解き、親機本体７からモバイルユニット９が取り外された場合には、図４（Ｂ）に示すように、係合子７３は、モバイルユニット９からの押圧力から解放され、ばね７４の付勢力によって、上方（Ｃ方向）に向かって突出するものの、この時点では、上記モバイルユニット着脱検知センサー１１は、上記モバイルユニット９（係合孔９２の底面）とはもはや接触できない。これにより、センサー１１は、大型液晶メインモニターＴＶ８を含むモバイルユニット９が親機本体７から取り外されたことを検知する。このとき、上記親機本体７のモバイルユニット収容凹部７１から小型液晶サブモニター１０が露呈する。
【００４７】
その後、上記ばね７４の付勢力に抗して上記係合子７３に上記係合孔９２が係合するように、大型液晶メインモニターＴＶ８を含むモバイルユニット９を親機本体７の収容凹部７１に嵌めこむと、図３（Ｂ）に示すように、上記モバイルユニット着脱検知センサー１１が係合孔９２の底面に密着する。これにより、センサー１１は、再び、モバイルユニット９が親機本体７に装着されたことを検知する。
【００４８】
図５を参照して、コア親機３１は、上記の大型液晶メインモニターＴＶ８を含むモバイルユニット９、小型液晶サブモニター１０及びモバイルユニット着脱検知センサー１１に加えて、ＣＰＵ３１９、ＲＯＭ３１１０、ＲＡＭ３１１１、映像増幅回路３１１２、ＦＭ復調回路３１１３、映像処理回路３１１４、マイク３１１５、スピーカー３１１６、増幅回路３１１７、ＡＣ／ＤＣ変換回路３１１８、ＡＣ１００Ｖ電源３１１９、解錠ボタン３１２０、タッチキー３１２１、タイマー３１２２、人検知センサー３１２３、画像メモリー３１２４、並びに第１の通信Ｉ／Ｆ３１２５Ａ及び第２の通信Ｉ／Ｆ３１２５Ｂを備えている。
【００４９】
ＣＰＵ３１９は、コア親機３１の制御中枢を司るものであって、ＲＯＭ３１１０に記憶されているプログラムに従って種々の処理を行う。
【００５０】
ＲＯＭ３１１０には、コア親機３１の動作を制御するためのプログラムが格納されている。他方、ＲＡＭ３１１１は、ＣＰＵ３１９のワーキングエリアとして機能し、データ等の書き込み及び読み出しが随時行われる。
【００５１】
ＣＰＵ３１９は、映像／音声分離機能を有している。それゆえ、ＣＰＵ３１９には、映像増幅回路３１１２、ＦＭ復調回路３１１３及び映像信号処理回路３１１４がこの順で接続されている。第１の通信Ｉ／Ｆ３１２５Ａを介して、サーバー４側から映像音声多重信号が入力されると、ＣＰＵ３１９は、当該多重信号から映像変調信号を分離し、この分離した映像変調信号を映像増幅回路３１１２に出力する。この映像変調信号が入力されると、映像増幅回路３１１２は、当該信号を増幅してＦＭ復調回路３１１３に出力する。この増幅映像変調信号が入力されると、ＦＭ復調回路３１１３は、当該信号をＦＭ復調して映像信号処理回路３１１４に出力する。この復調映像信号が入力されると、映像信号処理回路３１１４は、当該信号に映像処理を施して後段回路に出力する。
【００５２】
上記映像処理回路３１１４は、常閉接点３１１６を介して大型液晶メインモニターＴＶ８を含むモバイルユニット９のモニターＴＶ部９１に接続されていると共に、常開接点３１１７を介して小型液晶サブモニター１０に接続されている。
【００５３】
マイク３１１５及びスピーカー３１１６は、リビングルームに居る人と来訪者との間の対話を成立させるために用意されており、これらマイク３１１５の出力側及びスピーカー３１１６の出力側には、増幅回路３１１７が接続されている。この増幅回路３１１７は、ＣＰＵ３１９に接続されている。それゆえ、ＣＰＵ３１９によってサーバー４側から入力された映像音声多重信号から分離された来訪者の音声信号は、上記増幅回路３１１７で増幅されてスピーカー３１１６に出力される。その結果、子機２側のマイク２９から入力された来訪者の音声は、上記スピーカー３１１６により再生されて放音される。なお、マイク３１１５は、親機本体７の下部中央に設けられており、他方スピーカー３１１６は、親機本体７の下部において上記マイク３１１５の右側に設けられている（図３（Ａ）及び図４（Ａ）参照）。
【００５４】
ＡＣ／ＤＣ変換回路３１１８は、ＡＣ１００Ｖ電源３１１９から供給される交流電源を直流電源に変換するための回路であって、当該変換回路３１１８からコア親機３１の各回路に電源が供給される。また、ＡＣ／ＤＣ変換回路３１１８は、上記増幅回路３１１７と共にＣＰＵ３１９に接続されている。それゆえ、ＣＰＵ３１９は、第１の通信Ｉ／Ｆ３１２５Ａ及びサーバー４を介して、上記マイク３１１５に入力され増幅回路３１１７により増幅されたリビングルームに居る人の音声信号と、ＡＣ／ＤＣ変換回路３１１８からの電源とを多重化して成る、音声電源多重信号を子機２側に出力する。その結果、子機２に電源が供給される。
【００５５】
上記モバイルユニット９のバッテリー３１６及び電源監視回路３１７は、それぞれ、一端が上記ＡＣ／ＤＣ変換回路３１１８に接続されたコア親機電源出力ラインＬ１に接続されている。それゆえ、上記バッテリー３１６には、上記コア親機電源出力ラインＬ１から常時電源が供給される。このバッテリー３１６は、バッテリー出力ラインＬ２を介してバッテリー切替スイッチ３１８に接続されており、それによって上記モバイルユニット９のモニターＴＶ部９１に電源が供給される。
【００５６】
バッテリースイッチ切替スイッチ３１８は、上記コア親機電源出力ラインＬ１に接続されている常閉接点３１８Ａと、上記バッテリー出力ラインＬ２に接続されている常開接点３１８Ｂと、上記モニターＴＶ部９１へ電源を供給するための電源供給ラインＬ３に接続されている固定接点３１８Ｃとを備えており、コア親機電源出力ラインＬ１からの電源供給を監視する電源監視回路３１７によって、当該コア親機電源出力ラインＬ１からの電源供給が停止されたことが検出されたときに、常閉接点３１８Ａから常開接点３１８Ｂに切り替える。
【００５７】
上記モバイルユニット９のモニターＴＶ部９１には、アンテナ３１１が接続されており、上記大型液晶メインモニターＴＶ８に加えて、選局回路３１１Ａ、ＴＶチューナー３１２、映像切替スイッチ３１３、増幅回路３１４及び音声出力切替スイッチ３１５を備えている。
【００５８】
ＴＶチューナー３１２は、選局回路３１１Ａによって選局が制御されるものであって、このＴＶチューナー３１２には、映像切替スイッチ３１１Ａを介して大型液晶メインモニターＴＶ８が接続されると共に、ＴＶ音声信号を出力するためのＴＶ音声出力ラインＬ４及び増幅回路３１４を介して音声出力切替スイッチ３１５が接続されている。
【００５９】
映像切替スイッチ３１３は、一端がＴＶチューナー３１２に接続されたＴＶ映像出力ラインＬ５に接続されている常開接点３１３Ａと、上記映像処理回路３１１４からの映像信号を上記常閉接点３１２６を介して送信するためのコア親機映像出力ラインＬ６に接続されている常閉接点３１５３と、大型液晶メインモニターＴＶ８に接続されている固定接点３１３Ｃとを備えており、上記電源監視回路３１７によって上記コア親機電源出力ラインＬ１からの電源供給が停止されたことが検出されたときに、常閉接点３１３Ｂから常開接点３１３Ａに切り替える。
【００６０】
音声出力切替スイッチ３１５は、上記ＴＶ音声出力ラインＬ４が接続されている常開接点３１５Ａと、何れのラインにも接続されていない常閉接点３１５Ｂと、モバイルユニット９の構成要素の１つとしてのスピーカー３１２８に接続されている固定接点３１５Ｃとを備えており、上記電源監視回路３１７によって上記コア親機電源出力ラインＬ１からの電源供給が停止されたことが検出されたときに、常閉接点３１５Ｂから常開接点３１５Ａに切り替える。なお、スピーカー３１２８は、上記モバイルユニット９の下部において左右両端に設けられている（図３（Ａ）参照）。
【００６１】
ＣＰＵ３１９には、解錠ボタン３１２０の操作出力と、大型液晶メインモニターＴＶ８の画面上に表示されたタッチキー３１２１の操作出力と、タイマー３１２２の計時出力と、人検知センサー３１２３の検知出力と、モバイルユニット着脱センサー１１の検知出力とが与えられる。
【００６２】
解錠ボタン３１２０は、エントランスドアＤの施錠を解除して当該ドアＤを自動的に開閉させるための操作ボタンであって、親機本体７の下部においてマイク３１１５の右側に設けられている（図３（Ａ）及び図４（Ａ）参照）。リビングルームに居る人が来訪者の容姿を確認し且つ来訪者との対話を行った結果、当該来訪者による自身の住戸への訪問を許可した場合に上記解錠ボタン３１２０が押されると、ＣＰＵ３１９は、第１の通信Ｉ／Ｆ及びサーバー４を介して解錠信号を子機２に送信する。この解錠信号を受信すると、子機２側のＣＰＵ２１は、エントランスドア駆動回路１２に駆動信号を与えてエントランスドアＤを自動開閉する。
【００６３】
また、ＣＰＵ３１９は、サテライト親機３２側の解錠ボタン３２２０（図６参照）の操作信号も第２の通信Ｉ／Ｆ３１２５Ｂを介して送られてくる。そうすると、このＣＰＵ３１９は、第１の通信Ｉ／Ｆ３１２５Ａを介して上記サテライト親機３２側の解錠ボタン３２２０の操作信号をサーバー４側に送信する。
【００６４】
上記インターネット６を経由して、いわゆる壁紙と称される写真や絵画などの画像情報をダウンロードするために、タッチキー３１２１を使用して所定の操作が行われると、ＣＰＵ３１９は、第１の通信Ｉ／Ｆ３１２５Ａを介してその旨を示す信号をサーバー４側に送信する。上記ダウンロード開始の信号を受信すると、サーバー４は、インターネット６にアクセスし、インターネット６に登録されている画像情報をコア親機３１のＣＰＵ３１９に送出する。そうすると、ＣＰＵ３１９は、サーバー４から送出されてきた画像情報を大型液晶メインモニターＴＶ８に提示させる。この提示された画像情報のうちから所望の画像情報が上記タッチキー３１２を操作して選択されると、ＣＰＵ３１９は、当該選択された画像情報をダウンロードし、このダウンロードした画像情報を画像メモリー３１２４に記憶させる。この画像メモリー３１２４は、ＣＰＵ３１９と相互にインターフェイスをとっているので、当該画像メモリー３１２４に記憶された画像情報を任意に書き換えることができる。
【００６５】
タイマー３１２２は、リビングルームに居る人と来訪者との対話が終了してから一定時間が経過したことを計時すると、その旨を示す計時信号をＣＰＵ３１９に出力する。このタイマー３１２２からの計時信号が入力されると、ＣＰＵ３１９は、上記画像メモリー３１２４にアクセスし、当該画像メモリー３１２４に記憶されている画像情報を読み出し、この読み出した画像情報を大型液晶メインモニターＴＶ８に表示させる。
【００６６】
人検知センサー３１２３は、コア親機３１が設置されているリビングルームに人が存在しているか否かを検知するセンサーであって、このセンサー３１として、赤外線センサー等が採用されている。ＣＰＵ３１９は、人検知センサー３１２３が上記リビングルームに人が存在していることを検知したときのみ、来訪者の映像を大型液晶メインモニターＴＶ８又は小型液晶サブモニター１０の画面上に表示させる。
【００６７】
また、ＣＰＵ３１９には、サテライト親機３２側の人検知センサー３２２３（図６参照）の検知出力に基づく検知結果も第２の通信Ｉ／Ｆ３１２５Ｂを介して送信されてくる。上記サテライト親機３２側で人が存在することを検知している場合には、ＣＰＵ３１９は、第２の通信Ｉ／Ｆ３１２５Ｂを介して上記映像音声多重信号をサテライト親機３２側に送信する。
【００６８】
モバイルユニット着脱検知センサー１１の検知出力に基づきモバイルユニット９が親機本体７から取り外されていないことを検知している場合には、ＣＰＵ３１９は、上記常閉接点３１２６の開成及び常開接点３１２７の開成を維持させて、大型液晶メインモニターＴＶ８に来訪者の映像を表示させる。他方、モバイルユニット検知センサー１１の検知出力に基づきモバイルユニット９が親機本体７から取り外されたことを検知している場合には、ＣＰＵ３１９は、信号ラインＳ１を介して上記常閉接点３１２６に開成信号を出力すると共に、信号ラインＳ２を介して上記常開接点３１２７に閉成信号を出力する。これにより、閉常接点３１２６が開成する一方、常開接点３１２７が閉成する。その結果、来訪者の映像は、小型液晶モニター１０にのみ表示される。
【００６９】
図６を参照して、サテライト親機３２は、上記の大型液晶メインモニターＴＶ８を含むモバイルユニット９、小型液晶サブモニター１０及びモバイルユニット着脱検知センサー１１に加えて、ＣＰＵ３２９、ＲＯＭ３２１０、ＲＡＭ３２１１、映像増幅回路３２１２、ＦＭ復調回路３２１３、映像処理回路３２１４、マイク３２１５、スピーカー３２１６、増幅回路３２１７、ＡＣ／ＤＣ変換回路３２１８、ＡＣ１００Ｖ電源３２１９、解錠ボタン３２２０、タッチキー３２２１、タイマー３２２２、人検知センサー３２２３、画像メモリー３２２４、及び通信Ｉ／Ｆ３２２５を備えている。
【００７０】
ＣＰＵ３２９は、サテライト親機３２の制御中枢を司るものであって、ＲＯＭ３２１０に記憶されているプログラムに従って種々の処理を行う。
【００７１】
ＲＯＭ３２１０には、サテライト親機３２の動作を制御するためのプログラムが格納されている。他方、ＲＡＭ３２１１は、ＣＰＵ３２９のワーキングエリアとして機能し、データ等の書き込み及び読み出しが随時行われる。
【００７２】
ＣＰＵ３２９は、映像／音声分離機能を有している。それゆえ、ＣＰＵ３２９には、映像増幅回路３２１２、ＦＭ復調回路３２１３及び映像信号処理回路３２１４がこの順で接続されている。通信Ｉ／Ｆ３２２５を介してコア親機３１から映像音声多重信号が入力されると、ＣＰＵ３２９は、当該多重信号から映像変調信号を分離し、この分離した映像変調信号を映像増幅回路３２１２に出力する。この映像変調信号が入力されると、映像増幅回路３２１２は、当該信号を増幅してＦＭ復調回路３２１３に出力する。この増幅映像変調信号が入力されると、ＦＭ復調回路３２１３は、当該信号をＦＭ復調して映像信号処理回路３２１４に出力する。この復調映像信号が入力されると、映像信号処理回路３２１４は、当該信号に映像処理を施して後段回路に出力する。
【００７３】
上記映像処理回路３２１４は、常閉接点３２１６を介して大型液晶メインモニターＴＶ８を含むモバイルユニット９のモニターＴＶ部９１に接続されていると共に、常開接点３２１７を介して小型液晶サブモニター１０に接続されている。
【００７４】
マイク３２１５及びスピーカー３２１６は、サテライト親機３２が設置された部屋に居る人と来訪者との間の対話を成立させるために用意されており、これらマイク３２１５の出力側及びスピーカー３２１６の出力側には、増幅回路３２１７が接続されている。この増幅回路３２１７は、ＣＰＵ３２９に接続されている。それゆえ、ＣＰＵ３２９によって上記コア親機３１から入力された映像音声多重信号から分離された来訪者の音声信号は、上記増幅回路３２１７で増幅されてスピーカー３２１６に出力される。その結果、子機２側のマイク２９から入力された来訪者の音声は、上記スピーカー３２１６により再生されて放音される。なお、マイク３２１５は、親機本体７の下部中央に設けられており、他方スピーカー３２１６は、親機本体７の下部において上記マイク３２１５の右側に設けられている（図３（Ａ）及び図４（Ａ）参照）。
【００７５】
ＡＣ／ＤＣ変換回路３２１８は、ＡＣ１００Ｖ電源３２１９から供給される交流電源を直流電源に変換するための回路であって、当該変換回路３２１８からサテライト親機３２の各回路に電源が供給される。
【００７６】
上記モバイルユニット９のバッテリー３２６及び電源監視回路３２７は、それぞれ、一端が上記ＡＣ／ＤＣ変換回路３２１８に接続されたサテライト親機電源出力ラインＬ１に接続されている。それゆえ、上記バッテリー３２６には、上記サテライト親機電源出力ラインＬ１から常時電源が供給される。このバッテリー３２６は、バッテリー出力ラインＬ２を介してバッテリー切替スイッチ３２８に接続されており、それによって上記モバイルユニット９のモニターＴＶ部９１に電源が供給される。
【００７７】
バッテリースイッチ切替スイッチ３２８は、上記サテライト親機電源出力ラインＬ１に接続されている常閉接点３２８Ａと、上記バッテリー出力ラインＬ２に接続されている常開接点３２８Ｂと、上記モニターＴＶ部９１へ電源を供給するための電源供給ラインＬ３に接続されている固定接点３２８Ｃとを備えており、サテライト親機電源出力ラインＬ１からの電源供給を監視する電源監視回路３２８によって当該サテライト親機電源出力ラインＬ１からの電源供給が停止されたことが検出されたときに、常閉接点３２８Ａから常開接点３２８Ｂに切り替える。
【００７８】
上記モバイルユニット９のモニターＴＶ部９１には、アンテナ３２１が接続されており、上記大型液晶メインモニターＴＶ８に加えて、選局回路３２１Ａ、ＴＶチューナー３２２、映像切替スイッチ３２３、増幅回路３２４及び音声出力切替スイッチ３２５を備えている。
【００７９】
ＴＶチューナー３２２は、選局回路３２１Ａによって選局が制御されるものであって、このＴＶチューナー３２２には、映像切替スイッチ３２１Ａを介して大型液晶メインモニターＴＶ８が接続されると共に、ＴＶ音声信号を出力するためのＴＶ音声出力ラインＬ４及び増幅回路３２４を介して音声出力切替スイッチ３２５が接続されている。
【００８０】
映像切替スイッチ３２３は、一端がＴＶチューナー３２２に接続されたＴＶ映像出力ラインＬ５に接続されている常開接点３２３Ａと、上記映像処理回路３２１４からの映像信号を上記常閉接点３２２６を介して送信するためのコア親機映像出力ラインＬ６に接続されている常閉接点３２３Ｂと、大型液晶メインモニターＴＶ８に接続されている固定接点３２３Ｃとを備えており、上記電源監視回路３２７によって上記サテライト親機電源出力ラインＬ１からの電源供給が停止されたことが検出されたときに、常閉接点３２３Ｂから常開接点３２３Ａに切り替える。
【００８１】
音声出力切替スイッチ３２５は、上記ＴＶ音声出力ラインＬ４が接続されている常開接点３２５Ａと、何れのラインにも接続されていない常閉接点３２５Ｂと、上記モバイルユニット９の構成要素としてのスピーカー３２２８に接続されている固定接点３２５Ｃとを備えており、上記電源監視回路３２７によって上記コア親機電源出力ラインＬ１からの電源供給が停止されたことが検出されたときに、常閉接点３２５Ｂから常開接点３２５Ａに切り替える。なお、スピーカー３２２８は、上記モバイルユニット９の下部において左右両端に設けられている（図３（Ａ）参照）。
【００８２】
ＣＰＵ３２９には、解錠ボタン３２２０の操作出力と、大型液晶メインモニターＴＶ８の画面上に表示されたタッチキー３２２１の操作出力と、タイマー３２２２の計時出力と、人検知センサー３２２３の検知出力と、モバイルユニット着脱センサー１１の検知出力とが与えられる。
【００８３】
解錠ボタン３２２０は、上記コア親機３１側の解錠ボタン３１２０と同様、エントランスドアＤの施錠を解除して当該ドアＤを自動的に開閉させるための操作ボタンであって、親機本体７の下部においてマイク３１１５の右側に設けられている（図３（Ａ）及び図４（Ａ）参照）。サテライト親機３２が設置された部屋に居る人が来訪者の容姿を確認し且つ来訪者との対話を行った結果、当該来訪者による自身の住戸への訪問を許可した場合に上記解錠ボタン３２２０が押されると、ＣＰＵ３２９は、通信Ｉ／Ｆ３１２５、コア親機３１及びサーバー４を介して解錠信号を子機２に送信する。この解錠信号を受信すると、子機２側のＣＰＵ２１は、エントランスドア駆動回路１２に駆動信号を与えてエントランスドアＤを自動開閉する。
【００８４】
上記インターネット６を経由して、上記スクリーンセーバー用の壁紙としての写真や絵画などの画像情報をダウンロードするために、タッチキー３２２１を使用して所定の操作が行われると、ＣＰＵ３２９は、通信Ｉ／Ｆ３２２５及びコア親機３１を介してその旨を示す信号をサーバー４側に送信する。上記ダウンロード開始の信号を受信すると、サーバー４は、インターネット６にアクセスし、コア親機３１を介してインターネット６に登録されている画像情報をサテライト親機３２のＣＰＵ３２１９に送出する。そうすると、ＣＰＵ３２９は、サーバー４から送出されてきた画像情報を大型液晶メインモニターＴＶ８に提示する。この提示された画像情報から所望の画像情報が上記タッチキー３２２を操作して選択されると、ＣＰＵ３２９は、当該選択された画像情報をダウンロードし、このダウンロードした画像情報を画像メモリー３２２４に記憶させる。この画像メモリー３２２４も、ＣＰＵ３２９と相互にインターフェイスをとっているので、当該画像メモリー３２２４に記憶された画像情報を任意に書き換えることができる。
【００８５】
タイマー３２２２は、サテライト親機３２が設置された部屋に居る人と来訪者との対話が終了してから一定時間が経過したことを計時すると、その旨を示す信号時計をＣＰＵ３２９に出力する。このタイマー３２２２からの計時信号が入力されると、ＣＰＵ３２９は、上記画像メモリー３２２４にアクセスし、当該画像メモリー３２２４に記憶されている画像情報を読み出し、この読み出した画像情報を大型液晶メインモニターＴＶ８に表示させる。
【００８６】
人検知センサー３２２３は、サテライト親機３１が設置された部屋に人が存在しているか否かを検知するセンサーであって、このセンサー３２２３として、赤外線センサー等が採用されている。ＣＰＵ３２９は、人検知センサー３２２３がサテライト親機３２が設置された部屋に人が存在していることを検知したときのみ、来訪者の映像を大型液晶メインモニターＴＶ８又は小型液晶サブモニター１０に表示させる。また、ＣＰＵ３２９は、通信Ｉ／Ｆ３２２５を介しサテライト親機３２側の人検知センサー３２２３に基づく検知結果をコア親機３１側に送信する。
【００８７】
モバイルユニット着脱検知センサー１１からの検知出力に基づきモバイルユニット９が親機本体７から取り外されていないことを検知している場合には、ＣＰＵ３２９は、上記常閉接点３２２６の閉成及び常開接点３２２７の開成を維持させて、大型液晶メインモニターＴＶ８に来訪者の映像を表示させる。他方、モバイルユニット検知センサー１１からの検知出力に基づきモバイルユニット９が親機本体７から取り外されたことを検知している場合には、ＣＰＵ３２９は、信号ラインＳ１を介して上記常閉接点３２２６に開成信号を出力すると共に、信号ラインＳ２を介して上記常開接点３２２７に閉成信号を出力する。これにより、閉常接点３２２６が開成する一方、常開接点３２２７が閉成する。その結果、来訪者の映像は、小型液晶サブモニター１０にのみ表示される。
【００８８】
図７を参照して、サーバー４は、ＣＰＵ４１、ＲＯＭ４２、ＲＡＭ４３、並びに第１の通信Ｉ／Ｆ４４、第２の通信Ｉ／Ｆ４５及び第３の通信Ｉ／Ｆ４６を備えている。
【００８９】
ＣＰＵ４４は、サーバー４の制御中枢を司るものであって、ＲＯＭ４２に記憶されているプログラムに従って種々の処理を行う。
【００９０】
ＲＯＭ４２には、サーバー４の動作を制御するためのプログラムが格納されている。他方、ＲＡＭ４３は、ＣＰＵ４４のワーキングエリアとして機能し、データ等の書き込み及び読み出しが行われる。
【００９１】
上記サーバー４は、子機２に面している来訪者の撮像信号及び音声信号を中継してコア親機３１に伝送すると共に、コア親機３１に面している住人の音声信号を中継して子機２に伝送する。
【００９２】
具体的には、来訪者の撮影信号及び音声信号は、子機２から第１の通信Ｉ／Ｆ４４を介してＣＰＵ４４に送信される。そうすると、ＣＰＵ４４は、第２の通信Ｉ／Ｆ４５を介して受信した来訪者の映像信号及び音声信号をコア親機３１に送信する。このとき、来訪者の映像信号は、ＣＰＵ４４から第３の通信Ｉ／Ｆ４６を介してＰＣ５に送信する。そうすると、ＰＣ５は、そのディスプレイ上に来訪者の映像を再生して表示する。これにより、管理者は、来訪者が不審者であるか否かを判断し得る。また、サテライト親機３２が設置された部屋に人が居る場合には、来訪者の映像信号及び音声信号がコア親機３１から当該サテライト親機３２に送信される。
【００９３】
他方、住戸の住人の音声信号は、コア親機３１から第２の通信Ｉ／Ｆ４５を介してＣＰＵ４１に送付される。そうすると、ＣＰＵ４１は、第１の通信Ｉ／Ｆ４４を介して受信した住人の音声信号を子機２に送信する。また、サテライト親機３２側で来訪者に対応した場合には、音声信号は、コア親機３１を介してサーバー４に送信される。
【００９４】
本実施の形態１では、インターフォン機能を使用していないときには、親機３の大型の液晶メインモニターＴＶ８に、予めダウンロードしておいた画像情報が表示されるように構成されている。
【００９５】
かかる画像表示の動作の流れについて図８を使用して説明する。同図を参照して、まず、親機３は、子機２から呼出信号及び来訪者映像信号が入力されるのを待つ（ステップＳ１及びステップＳ２）。
【００９６】
上記呼出信号及び来訪者映像信号が入力されると、親機３のＣＰＵは、大型液晶メインモニターＴＶ８に来訪者の映像を表示させる（ステップＳ３）。
【００９７】
その後、親機３のＣＰＵは、住戸内の住人と来訪者との間での対話が終了するのを待つ（ステップＳ４）。
【００９８】
上記の対話が終了すると、親機３のＣＰＵは、タイマーからの計時信号に基づいて一定時間が経過するのを待つ（ステップＳ５）。
【００９９】
タイマーからの計時信号に基づいて上記一定時間が経過したと判断すると、親機３は、その大型液晶メインモニターＴＶ８に上記画像情報を表示させる。具体的には、親機３のＣＰＵは、画像メモリーにアクセスし、この画像メモリーに予めダウンロードしておいた画像情報を読み出す。この読み出された画像情報は、親機３のＣＰＵから映像増幅回路、ＦＭ復調回路及び映像処理回路を経由して親機３のモニターＴＶ部９１に送られ、最終的に大型液晶メインモニターＴＶ８に表示される。
【０１００】
上記のようにして大型液晶メインモニターＴＶ８に表示された画像情報は、特別の事象が発生しない限り、次の呼出信号及び来訪者映像信号が親機３のＣＰＵに入力されるまで表示され続ける。
【０１０１】
このとき、上記画像情報は、写真や絵画などに相当する画像であるので、モニターＴＶとして１４インチ又は１７インチの大型液晶モニターＴＶを採用したとしても、インターフォン機能を使用していない状態では、この大型液晶メインモニターＴＶ８に写真や絵画としての役割などを担わせることができる。すなわち、インターフォン機能を使用していないときには、大型液晶メインモニターＴＶ８をＯＦＦ状態にすることなく、写真や絵画などを表示させることによって、室内の他のインテリアと調和させて美感を向上させることができる。その結果、親機３に大型液晶メインモニターＴＶ８を採用することによって、親機３自体に装飾品的な付加価値がつき、ユーザーは、積極的に大型液晶メインモニターＴＶ８を有する親機３を積極的に設置しようとするものと期待できる。
【０１０２】
また、部屋に人が存在することが人検知センサーに検知された場合にのみ、当該部屋に設置された親機３の大型液晶メインモニターＴＶ８に来訪者の映像が映し出されるようにも構成されている。
【０１０３】
例えば、リビングルーム及び子供部屋に人が居る場合を想定して、上記の動作を説明する。
【０１０４】
図５及び図６を参照して、コア親機３１のＣＰＵ３１９には、コア親機３１側の人検知センサー３１２３からの検知出力が入力されると共に、全てのサテライト親機３２１，３２２，３２３側のＣＰＵ３２９から人検知センサー３２２３からの検知出力に基づく検知結果が送られてくる。このとき、リビングルームには人が居るので、コア親機３１のＣＰＵ３１９は、人検知センサー３１２３の検知出力に基づいて当該リビングルームに人が存在すると判断し、当該コア親機３１側の大型液晶メインモニターＴＶ８に来訪者映像信号が出力される。その結果、コア親機３１側の大型液晶メインモニターＴＶ８に来訪者の映像が表示される。また、子供部屋に設置されたサテライト親機３１側のＣＰＵ３２９から送出されてきた検知結果は、当該子供部屋に人が居ることを示すものであるので、コア親機３１のＣＰＵ３１９は、上記サテライト親機３２２側のＣＰＵ３２９に来訪者映像信号を送信する。この来訪者映像信号を受信したＣＰＵ３２９は、当該来訪者映像信号をサテライト親機３２２に属する大型液晶メインモニターＴＶ８に送信する。その結果、子供部屋に設置されたサテライト親機３２２の大型液晶メインモニターＴＶ８に来訪者の映像が表示される。これに対し、寝室及び書斎に設置されたサテライト親機３２１，３２３のＣＰＵ３２９から送出されてきた検知結果は、当該寝室及び書斎には人が居ないことを示すものであるので、コア親機３１のＣＰＵ３１９は、上記サテライト親機３２１，３２３側のＣＰＵ３２９には来訪者映像信号を送信しない。その結果、寝室及び書斎に設置されたサテライト親機３２１，３２３の大型液晶メインモニターＴＶ８には来訪者の映像は表示されない。
【０１０５】
このように、確実に人が存在する部屋の親機３で来訪者に対応することができ、その結果として、消費電力の低減に貢献する。
【０１０６】
さらに、本実施の形態１では、全ての部屋に人が居ないことが検知された場合には、留守モードで子機２に面している来訪者に対応できるようにも構成されている。
【０１０７】
具体的には、全ての部屋に設置された親機３の人検知センサーの検出出力に基づいて、コア親機３１のＣＰＵ３１９が当該全ての部屋に人が居ないと判断すると、来訪者対応モードを留守モードに切り替える。この留守モードに切り替えられた後に、来訪者が子機２を操作すると、コア親機３１のＣＰＵ３１９は、自動音声を生成し、この生成した自動音声であたかも住戸内に人が居るかのように来訪者との対話を行う。
【０１０８】
したがって、来訪者は、実際には住戸に全く人が居ないのにも拘らず、目的とする人物のみが留守であると解釈して、次の訪問先にアクセスすることになる。
【０１０９】
なお、上記コア親機３１のＣＰＵ３１９にビデオテープレコーダやＤＶＤレコーダー等の録画手段を接続し、上記留守モードでの自動音声による来訪者との対話を行っている間に、当該来訪者の容姿及び声を録画するようにするのが好ましい。この場合、上記録画手段で再生することにより、来訪者が不審者であった場合の手掛かりとなり、究極的には防犯効果がより一層向上する。
【０１１０】
さらにまた、本実施の形態１では、壁掛け型の親機本体７に対して、大型液晶メインモニターＴＶ８を含むユニット９を着脱可能に装着し、それによって当該ユニット９を持ち運び可能としている。
【０１１１】
したがって、大型液晶メインモニターＴＶ８を含むモバイルユニット９を親機本体７に装着している場合、ＡＣ／ＤＣ変換回路から親機３の各回路に電源が供給されると共に、電源監視回路が親機電源出力ラインからの電源供給をモニタリングする。この状態においては、バッテリー切替スイッチは、その常閉接点の開成が維持される。それゆえ、電源は、親機電源出力ライン、バッテリー切替スイッチの常閉接点及び固定接点、並びに電源供給ラインを介して、モバイルユニット９のモニターＴＶ部９１に供給される。このとき、映像切替スイッチ及び音声切替スイッチの両者の各常閉接点が開成しているので、子機２のカメラ２６で撮像された来訪者の映像は、大型液晶メインモニターＴＶ８に表示されると共に、子機２側のマイク２９に集音された音は、モバイルユニット９のスピーカーから放音される。
【０１１２】
これに対し、大型液晶メインモニターＴＶ８を含むモバイルユニット９を親機本体７から取り外した場合、電源監視回路は、親機電源出力ラインからの電源供給が停止されたことを検出し、これに伴って、バッテリー切替スイッチ、映像切替スイッチ及び音声切替スイッチの各常閉接点が開成する。そうすると、電源は、バッテリーからバッテリー電源出力ライン、バッテリー電源切替スイッチの常開接点及び固定接点、並びに電源供給ラインを介して、モバイルユニット９のモニターＴＶ部９１に供給される。他方、大型液晶メインモニターＴＶ８は、映像切替スイッチの常開接点及び固定接点、並びに電源供給ラインを介して、ＴＶチューナーに接続される。その結果、選局回路によって選局が可能となる。そうすると、ＴＶチューナーからは、ＴＶ映像信号が大型液晶メインモニターＴＶ８に出力される。その結果、ＴＶ映像が大型液晶メインモニターＴＶ８に表示される。また、モバイルユニット９のスピーカーは、音声切替スイッチの固定接点及び常開接点、増幅回路、並びにＴＶ音声出力ラインを介して、ＴＶチューナーに接続される。これにより、ＴＶチューナーからは、ＴＶ音声信号がスピーカーに出力される。その結果、スピーカーからはＴＶ音声が放音される。
【０１１３】
このように、大型液晶メインモニターＴＶ８を含むユニット９を自由に親機本体７から取り外して持ち運びできるので、災害時等の非常時はもとより、当該モバイルユニット９をキッチン、お風呂、ベランダ及びトイレ等に持ち込んでモバイルＴＶとして利用することができる。その結果、住戸内の好みの場所で大型液晶メインモニターＴＶ８から種々の情報を自由に取得することができる。
【０１１４】
また、大型液晶メインモニターＴＶ８を含むモバイルユニット９を親機本体７から取り外したときには、上記親機本体７の映像信号処理回路と上記モバイルユニット９のモニターＴＶ部９１との間に介在する常閉接点に開成信号がＣＰＵから出力されると共に、映像処理回路と小型液晶サブモニター１０との間に介在する常開接点に閉成信号がＣＰＵから出力される。これに伴って、上記常開接点は開成する一方、上記常閉接点は閉成する。その結果、小型液晶サブモニター１０にのみ、来訪者の映像が映し出されることになる。
【０１１５】
このように、上記大型液晶メインモニターＴＶ８を含むモバイルユニット９が親機本体から取り外されて本来設置されるべき部屋とは別の場所に持ち運ばれた場合でも、当該モバイルユニット９が取り外された親機本体７が残っている部屋に人が存在していれば、親機本体７のモバイルユニット収容凹部７１に埋め込まれた小型液晶サブモニター１０に来訪者の映像が表示されるので、大型液晶メインモニターＴＶ８を含むモバイルユニットがなくても、上記小型液晶サブモニター１０で来訪者の容姿を確認しながら当該来訪者と対話ができる。
【０１１６】
加えて、本実施の形態１では、集合住宅の管理室内に設置されたサーバー４と、集合住宅の各戸毎に複数設置された親機３（３１，３２１，３２２，３２３）との間では、ネットワークが構築されており、それによって当該サーバー４から当該各戸の親機３（３１，３２１，３２２，３２３）に種々の情報が提供されるように構築されている。
【０１１７】
したがって、親機３の大型液晶メインモニターＴＶ８の使用形態として常時電源がＯＮ状態であることを利用して、利便性を追求すれば、ＩＰＴＶ電話との融合や、集合住宅管理組合及び大小のコミュニティーにおける回覧板の配布など、様々な態様でその利用範囲が拡がることになる。
＜実施の形態２＞
【０１１８】
図９を参照して、本実施の形態２に係るインターフォンシステムの特徴は、コア親機７のマインモニターＴＶ８のモニター３１３０が、コア親機本体７に対して着脱可能に装着され、それによって当該メインモニター３１３０が持ち運び可能とされている点、及びメインモニター３１３０をコア親機本体７から取り外した場合には、当該コア親機本体７側をステーションとして、ＴＶ放送を受信し、この受信したＴＶ放送を無線により当該メインモニター３１３０に送信する点にある。
【０１１９】
すなわち、上記ステーションとして機能するコア親機本体７側では、ＴＶアンテナ３１１で受信したＴＶ放送信号から所望のチャンネルの信号を選局して、映像信号及び音声信号を復号化する。そして、コア親機本体７側から、上記復号化した映像信号や音声信号を、選択的に無線によりメインモニター３１３０に送信する。他方、メインモニター３１３０は、ステーションとしてのコア親機本体７から送信されてきた映像信号及び音声信号を受信して映像表示及び音声再生を実現する。
【０１２０】
したがって、上記メインモニター３１３０を上記ステーションとなるコア親機本体７から取り外して家内の好きな場所に持ち込み、この持ち込んだメインモニター３１３０を通じて映像及び音声を視聴することが可能となる。そのため、メインモニター３１３０のモバイルＴＶとしての使用形態の自由度が増す。
【０１２１】
また、メインモニター３１３０をコア親機本体７から取り外したときには、当該コア親機本体７内のモニター着脱検知センサー３１３１がこれを検知し、この旨を示す検知信号をＣＰＵ３１９に出力する。そうすると、常開接点３１１７に閉成信号がＣＰＵ３１９から出力される。これに伴って、上記常閉接点は閉成し、サブモニター１０に来訪者の映像が映し出される。
【０１２２】
ここで、メインモニター３１３０をコア親機本体７から離れた家内の場所に持ち込んだ場合を想定して詳細に説明する。
【０１２３】
まず、ステーションとしてのコア親機本体７において、ＴＶアンテナ３１１で受信されたＴＶ放送信号は、チューナー３１２により所望のチャンネルの信号が選局され、映像信号及び音声信号に復号化される。このチューナー３１２の選局及び復号化は、選局回路３１２Ａから出力される選局制御信号に基づいて実行される。
【０１２４】
上記チューナー３１２で復号化された映像信号及び音声信号は、送信側モジュール（ブルートゥースモジュール）３１３２に出力される。そうすると、送信側モジュール３１３２は、入力された映像信号及び音声信号を無線送信に適した形態に変換し、その後、無線アンテナ（ブルートゥースアンテナ）３１３３を介してメインモニター３１３０に送信される。
【０１２５】
他方、メインモニター３１３０において、上記ステーションとして機能するコア親機本体７側から送信されてきた映像信号及び音声信号は、無線アンテナ（ブルートゥースアンテナ）３１３４で受信され、受信側モジュール（ブルートゥースモジュール）３１３５により復調処理され、その後、ＣＰＵ３１３６に与えられる。
【０１２６】
上記受信側モジュール３１３５から復調処理された映像信号及び音声信号が入力されると、ＣＰＵ３１３６は、当該入力された映像信号を液晶パネル３１３７による表示に適した形態に変換して液晶パネル３１３７に出力すると共に、当該入力された音声信号をスピーカー３１２８による音声再生に適した形態に変換してスピーカー３１２８に出力される。その結果、液晶パネル３１３７には、ＴＶ映像が表示されると共に、スピーカー３１２８からＴＶ音声が放音される。
【０１２７】
また、チャンネルを変更するためにリモートコントローラーＲＣが操作されると、このリモートコントローラーＲＣから照射された光がメインモニター３１３０内の受光回路３１３８で受光される。
【０１２８】
上記受光回路３１３８でリモートコントローラーＲＣからの照射光が受光されると、光電変換処理が行われ、当該リモートコントローラーＲＣで選択したチャンネル番号を示す電気信号（以下、単に「チャンネル変更信号」という）が受信側モジュール３１３５に出力される。
【０１２９】
上記チャンネル変更信号は、受信側モジュール３１３５で無線送信に適した形態に変換された後、無線アンテナ３１３４を介してステーションとして機能するコア親機本体７側に送信される。
【０１３０】
他方、上記ステーションとしてのコア親機７において、上記モニター３１３０側から送信されてきたチャンネル変更信号は、無線アンテナ３１３３で受信され、送信側モジュール３１３２により復調処理され、その後、選局回路３１２Ａに与えられる。そうすると、選局回路３１２Ａは、チャンネル変更信号に則した選局制御信号を生成してチューナー３１２に与える。その結果、チューナー３１２は、選局回路３１２Ａからの選局制御信号に基づいて、上記チャンネル変更信号に則したＴＶ放送局を選局する。
【０１３１】
上記チューナー３１２で上記チャンネル変更信号に則したＴＶ放送局が選局された後は、上述した一連の動作がステーションとしてのコア親機本体７側及びメインモニター３１３０側の双方で実行され、それによって液晶パネル３１３７及びスピーカー３１２８各々にチャンネル変更後のＴＶ映像及びＴＶ音声が再現される。
【０１３２】
なお、図９中、３１３９はバッテリーであって、このバッテリー３１３９は、モニター３１３０側のＣＰＵ３１３６のバックアップ電源として機能する。
【０１３３】
上記のように、本実施の形態２では、メインモニター３１３０をコア親機本体７から取り外して持ち運びできるので、住戸内の好みの場所でメインモニター３１３０から種々の情報を自由に取得することができる。特に、メインモニター３１３０をコア親機本体７から取り外した場合には、コア親機本体７側がステーションとなってＴＶ放送が受信され、この受信されたＴＶ放送が無線によりメインモニター３１３０に送信されることによって、メインモニター３１３０で再現されるので、メインモニター３１３０の薄型化及び消費電力の低減に貢献する。
【０１３４】
なお、その他の構成及び作用・効果は、上記実施の形態１と略同様である。また、サテライト親機３２を、コア親機７と同様に、メインモニターＴＶ８のモニターをサテライト親機本体に対して着脱可能に装着し、それによって当該メインモニターを持ち運び可能とし、モニターメインをサテライト親機本体から取り外した場合には、当該サテライト親機本体側をステーションとして、ＴＶ放送を受信し、この受信したＴＶ放送を無線により当該メインモニターに送信して再現するように構成してもよいことは云うまでもない。
【０１３５】
本発明は上記実施の形態１及び実施の形態２に限定されるものではない。
【０１３６】
（１）上記実施の形態１及び実施の形態２では、メインモニターＴＶとして大型液晶モニターＴＶを採用し、他方サブモニターとして小型液晶モニターを採用した例について記載したが、近年、ＣＲＴの薄型化技術が発展しつつあることに着目し、上記メインモニターＴＶとして大型で薄型のＣＲＴモニターＴＶを採用し、他方上記サブモニターとして小型で薄型のＣＲＴモニターを採用してもよい。
【０１３７】
（２）上記実施の形態１及び実施の形態２では、親機本体を壁掛型とした例について記載したが、フォトスタンド型の親機本体としてもよい。この場合、親機にフォトスタンドとしての役割を担わせることができる。
【０１３８】
（３）上記実施の形態１及び実施の形態２では、インターネットを経由して画像情報をダウンロードし、このダウンロードした画像情報をいわゆる壁紙として大型液晶メインモニターＴＶに表示する例について記載したが、画像情報を予め用意しておき、これら複数の画像情報のうちから１つの画像情報を任意に選択して大型の液晶モニターＴＶに表示するようにしてもよい。具体的には、画像情報表示制御手段として、内部的に複数の画像情報を予め記憶しておくための第１の画像情報記憶手段と、この第１の画像情報に記憶されている複数の画像情報のうちから所望の画像情報を入力操作により選択するための選択手段と、この選択手段により選択された画像情報を記憶するための第２の画像情報記憶手段とを備えるようにし、子機のカメラで撮影した来訪者の映像が大型の液晶メインモニターＴＶに表示されて当該来訪者との対話が終了してから一定時間経過した場合に、上記第２の画像情報記憶手段に記憶された選択画像情報を大型の液晶メインモニターＴＶに表示するようにすればよい。この場合、入力操作により内部的に予め記憶されている複数の画像情報のうちから大型の液晶メインモニターＴＶに表示させたい画像情報を選択し、この選択された画像情報は、インターフォン機能が使用されていないときに大型の液晶メインモニターＴＶに表示されるので、画像情報をインターネット上からダウンロードするためのインターネット接続のセットアップ作業と必要としないで済む。
【０１３９】
（４）上記実施の形態１において、親機のＣＰＵにデジタルカメラやデジタルビデオカメラを接続可能とし、これらデジタルカメラやデジタルビデオカメラで撮影した画像情報を取り込み、この取り込んだ画像情報をスクリーンセーバー用の壁紙として大型液晶メインモニターＴＶに表示させるようにしてもよい。この場合、上記スクリーンセーバー用の壁紙として利用される画像情報の選択肢の幅がより一層拡大する。
【０１４０】
（５）特に、上記実施の形態２において、ステーションとして機能するコア親機本体に、ＢＳチューナー、ＣＳチューナー、ＶＴＲ、ＤＶＤレコーダー、及びＨＤなどの映像信号及び音声信号を外部に出力する外部映像機器を接続可能とすれば、コア親機の大型液晶メインモニターのＴＶとしての付加価値がより一層充実することになる。その結果、ユーザーの設置意欲や購買意欲がより一層惹起される。
【０１４１】
（６）留守をするときに家族に対するメッセージを録音可能とすることにより、親機を家族間の連絡のための「伝言板」としての役割を担わせることができる。これにより、モニターインターフォン基本機能としては、上述した防犯監視モニター機能及び録画機能に加えて、伝言板機能を備えることとなる。
【０１４２】
（７）カレンダー機能を付加し、家族間でスケジュール等と確認又は管理できるようにしてもよい。また、携帯電話接続機能を付加し、例えば、子供だけで留守番をしている場合に、母親が外出先から携帯電話を使って自身の動画又は静止画が大型液晶メインモニターＴＶに表示されると共に、「おやつはテーブルの上にあるよ。６時までには帰るからね。」といった子供へのメッセージが音声出力されるようにしてもよい。これにより、便利さを考えた機能としては、上述したインターネット機能、マンション内の連絡機能及び共有施設の予約や管理組合の連絡機能に加えて、カレンダー機能及び携帯電話接続機能を備えることになる。
【０１４３】
（８）クッキング・ナビ機能、個人認証機能及びＧＰＳ機能を付加してもよい。また、上記のスクリーンセーバー機能やクッキング・ナビ機能を使用しているときに各機能画面で活動するパートナーキャラクターを大型液晶メインモニターＴＶ上に登場させ、各機能の使用頻度に応じて当該キャラクターを成長させ、その成長度合を当該各機能の使用頻度のパラメーターとすることにより、ユーザーに癒しを与えるようにしてもよい。さらに、特定の時刻になると、その時刻になすべき行動を示唆し得る動画を表示するようにしてもよい。例えば、午後３時になったときに、図１０に示すように、大型液晶メインモニターＴＶ上に複数のキャラクターを登場させ、あたかもからくり仕掛けで動いているように登場キャラクターを、同図にいて矢印で示す順序で移動させる。これにより、幼児に対して、上記の一連のキャラクターの動きが大型液晶モニターＴＶに表示されれば、おやつの時間であることを認識させ得る。その結果、エンターテイメント機能としては、上述したスクリーンセーバー機能に加えて、クッキング・ナビ機能、癒し機能、からくり時計機能、個人認証機能及びＧＰＳ機能が備えられることになる。
【０１４４】
すなわち、上記（６）〜（８）のように、モニターインターフォン基本機能、便利さを考えた機能、モバイルＴＶ機能及びエンターテイメント機能を充実させることによって、将来的には、親機の大型液晶メインモニターＴＶのモバイルインターフォンＴＶとしての地位を堅固たるものとすることができるものと予想される。
【０１４５】
その他、本明細書に添付の特許請求の範囲内での種々の設計変更及び修正を加え得ることは勿論である。
【産業上の利用可能性】
【０１４６】
本発明は、親機の大型モニターＴＶを有効利用できるゆえ、親機側大型モニターＴＶを有するインターフォン装置、及びこのインターフォン装置を利用した集合住宅インターフォンシステムとして有用である。
【図面の簡単な説明】
【０１４７】
【図１】本発明の実施の形態１に係るインターフォン装置を利用した集合住宅インターフォンシステムの全体構成を簡略化して示す図である。
【図２】子機の電気的構成を示すブロック図である。
【図３】大型の液晶メインモニターＴＶを含むモバイルユニットを親機本体に装着した状態を示しており、同図（Ａ）は平面図、同図（Ｂ）は同図（Ａ）のＡ−Ａ線に沿う断面図である。
【図４】大型液晶メインモニターＴＶを含むモバイルユニットを親機本体から取り外した状態を示しており、同図（Ａ）は平面図、同図（Ｂ）は同図（Ａ）のＢ−Ｂ線に沿う断面図である。
【図５】コア親機の電気的構成を示すブロック図である。
【図６】サテライト親機の電気的構成を示すブロック図である。
【図７】サーバーの電気的構成を示すブロック図である。
【図８】親機の画像情報を表示動作の流れを示すフローチャートである。
【図９】本発明の実施の形態２に係るインターフォン装置を利用した集合住宅インターフォンシステムのコア親機の電気的構成を示す図であって、モニターをコア親機本体から取り外した状態を想定している。
【図１０】からくり時計機能を使用したときの画像の動きをいわゆるコマ送り状態で示す図である。
【符号の説明】
【０１４８】
１  インターフォン装置を利用した集合住宅インターフォンシステム
２  子機
２１  ＣＰＵ
２２  ＲＯＭ
２３  ＲＡＭ
２６  カメラ
３，３１，３２，３２１，３２２，３２３  親機
３１９，３２９  ＣＰＵ
３１１０，３２１０  ＲＡＭ
３１２１，３２２１  タッチキー
３１２２，３２２２  タイマー
３１２３，３２２３  人検知センサー
３１２４，３２２４  画像メモリー
３１３０  メインモニター
３１３１  モニター着脱検知センサー
４  サーバー
７  親機本体
８  大型液晶メインモニターＴＶ
９  モバイルユニット
９１  モニターＴＶ部
１０  小型液晶サブモニター
１１  モバイルユニット着脱検知センサー
【図１】
2006060714.tif 000003
【図２】
2006060714.tif 000004
【図３】
2006060714.tif 000005
【図４】
2006060714.tif 000006
【図５】
2006060714.tif 000007
【図６】
2006060714.tif 000008
【図７】
2006060714.tif 000009
【図８】
2006060714.tif 000010
【図９】
2006060714.tif 000011
【図１０】
2006060714.tif 000012